(57)【要約】【課題】予め碁盤目状にＬＥＤの取付位置が設定されているＬＥＤ取付板に、利用者が取付位置を選択して複数個のＬＥＤを配置し、その複数個のＬＥＤにより数字や文字などのパターンを形成できるようにし、簡易な構造にして、ＬＥＤそれぞれの位置を定め易く安価な表示板を提供する。【解決手段】前面開口に光拡散板５を配したケースの内にある電源３と、砲弾型の複数のＬＥＤ１２と、碁盤目状のＬＥＤ取付部１１にＬＥＤ１２を抜き差し可能に保持するＬＥＤ取付板４と、電源３からの電力供給によりＬＥＤ取付部１１に保持されたＬＥＤ１２それぞれを点灯可能にする配線手段と、人感センサ１５の感応時にＬＥＤ１２と電源２との間の通電回路を閉成してＬＥＤ１２を点灯させる点灯手段とで、表示板１を構成した。【選択図】図２
2013109218.tif 000002
【特許請求の範囲】
【請求項１】
前面開口に光拡散板を配したケースの内部に位置する乾電池からなる電源と、それぞれ砲弾型で対のリード線がある複数のＬＥＤと、ＬＥＤ取付部が碁盤目状に配置されていてそれぞれのＬＥＤ取付部に前記リード線が差し入れられたＬＥＤを抜き差し可能に保持するＬＥＤ取付板と、前記ＬＥＤ取付部に保持されたＬＥＤのリード線との接触にて前記電源からの電力供給によりＬＥＤ取付部に保持されたＬＥＤそれぞれを点灯可能にする配線手段と、ケース前面側に人感センサを配してこの人感センサの感応時に前記ＬＥＤと前記電源との間の通電回路を閉成して前記ＬＥＤを点灯させる点灯手段とを備えることを特徴とする表示板。
【発明の詳細な説明】
【技術分野】
【０００１】
本発明は複数のＬＥＤの点灯による発光パターンで文字などを表示する表示板に関するものである。
【背景技術】
【０００２】
従来から複数のＬＥＤの点灯を利用する機器として照明機器が近年多く流通するようになってきている。この照明器具に関連して、非特許文献１、非特許文献２に示されているように、複数個ずつのＬＥＤを列にして取り付けることができる光源基板があり、この光源基板の列となっているソケット部分にＬＥＤを並べて線状光源を形成し、その線状光源の列数の調整により照度などが使用者側で簡単に変更できる簡易構造の照明機器が提案されている。
【０００３】
また、砲弾型のＬＥＤをドットの配列にして電源シートに差し込み、砲弾型のＬＥＤを点灯させることで、ドット並びの光輝点で所望のパターンを形成できるようにした電光表示器が、例えば特許文献１に示されている。
【０００４】
さらに、ＬＥＤのリードに対応した複数の挿通孔を有して基板裏面における前記挿通孔それぞれの周りに導体箔を設けている回路基板と、前記挿通孔にリードを差し入れてそのリードを折り曲げることで導体箔との電気的接続を図るようにした砲弾型のＬＥＤとからなる表示装置が特許文献２として提案されており、ＬＥＤを着脱可能に配置して点つづり方式で文字などを表示できるようにした工夫も提案されている。
【先行技術文献】
【特許文献】
【０００５】
【特許文献１】特開平１１−３０５６９９
【特許文献２】実願昭５９−０４９５５７号のマイクロフィルム（公開実用昭和６０−１６１３９１号）
【非特許文献】
【０００６】
【非特許文献１】ｈｔｔｐ：／／ｒｅｖｏｘ．ｊｐ／ｐｒｏｄｕｃｔｓ／ＬＥＤ−ｃｏｍｐｏｎｅｎｔ／ＳＰＥＣＴＲＯＬＩＧＨＴ／ＳＰＬ−１００−ＣＣ．ｈｔｍ（レボックス株式会社ｗｅｂページ内）
【非特許文献２】ｈｔｔｐ：／／ｗｗｗ．ｏｐｔｏｃｏｄｅ．ｃｏ．ｊｐ／ｌｅｖｅｌ４／ＰＬ／ＨＴＭＬ／ＰＬ１＿１．ｈｔｍｌ（オプトコード株式会社ｗｅｂページ内）
【発明の概要】
【発明が解決しようとする課題】
【０００７】
ところで、ホテルの廊下に沿って並ぶ客室部屋や病院において通路に沿って並ぶ病室などは、ドア形状や出入り口形状が同じであることから多く、一般的にはアルファベットや符号、数字などを数文字用いて簡易的に表示する小型の表示板をドアや出入り口の枠などに取り付けている。また、大型の物品配送倉庫においても区別して保管される多種の物品を作業者側からの目視で管理し易くするために、その物品を保管管理する棚などに、物品に応じる符号などを記した小型の表示板を取り付けることが多く行なわれている。
【０００８】
しかしながら、上記表示板は、台板に数字、符号などを象ったプレートを組み付けたものや数字、符号などを印刷したプレートからなるものであるため、ホテルや病院での外界からの光が射し難い客室階通路からは表示板が示す数字、符号などが見辛く、また倉庫では人の入館自体が少ないことから昼間時でも照明機器の明るさを下げていることから、同様に製品を区別する表示板でも数字、符号などが見辛くなっている。また、このような表示板では表示する情報を変更することはできず、変更する場合には表示板自体を作り直す必要がある。
【０００９】
このような対策として上記特許文献１に示されている電源シートに複数個のＬＥＤを使用者側でレイアウトし、光輝するパターンを任意に形成する技術が利用できる可能性はあるが、ＬＥＤ個々の配置が自由であるため、形成する数字などに歪みや大きさの不統一が生じる。また、同様に非特許文献１に示された光源基板にＬＥＤをセットした非特許文献２に示された照明器具にあっては、ＬＥＤのリードが長いために点光源の並びが不均一となって文字などを表現することができないものである。
【００１０】
そして、上記特許文献２に示された表示装置ではリードを基板裏面側で折り曲げるものであるため、ＬＥＤの着脱が非常に困難であるとともに、リードが破損してしまう可能性が高いという問題がある。
【００１１】
そこで本発明は上記事情に鑑み、予め碁盤目状にＬＥＤの取付位置が設定されているＬＥＤ取付板に、利用者が取付位置を選択して複数個のＬＥＤを配置し、その複数個のＬＥＤにより数字や文字などのパターンを形成できるようにすることを課題とし、簡易な構造にして、ＬＥＤそれぞれの位置を定め易く安価な表示板を提供することを目的とするものである。
【課題を解決するための手段】
【００１２】
本発明は上記課題を考慮してなされたもので、前面開口に光拡散板を配したケースの内部に位置する乾電池からなる電源と、それぞれ砲弾型で対のリード線がある複数のＬＥＤと、ＬＥＤ取付部が碁盤目状に配置されていてそれぞれのＬＥＤ取付部に前記リード線が差し入れられたＬＥＤを抜き差し可能に保持するＬＥＤ取付板と、前記ＬＥＤ取付部に保持されたＬＥＤのリード線との接触にて前記電源からの電力供給によりＬＥＤ取付部に保持されたＬＥＤそれぞれを点灯可能にする配線手段と、ケース前面側に人感センサを配してこの人感センサの感応時に前記ＬＥＤと前記電源との間の通電回路を閉成して前記ＬＥＤを点灯させる点灯手段とを備えることを特徴とする表示板を提供して、上記課題を解消するものである。
【発明の効果】
【００１３】
本発明によれば、発光表示させる文字、記号、符号などのパターンを使用者側で任意に形作ることができるとともに、ＬＥＤ取付部が碁盤目状の配置であるためにＬＥＤの並びが揃って、発光したパターンで表現する情報が理解し易くなる。さらに発光させるパターンに応じる取付位置のみにＬＥＤを配置するものであるので、構成が簡単で安価にして小型化が容易になる。さらに人感センサが感応してＬＥＤが点灯するようにしているので、消費電力が少なくなるという優れた効果を奏するものである。
【図面の簡単な説明】
【００１４】
【図１】本発明に係る表示板の実施の形態において光拡散板を取り外して正面側から見た状態を概略的に示す説明図である。
【図２】実施の形態における断面を概略的に示す説明図である。
【図３】ＬＥＤによる発光パターンの例を示す説明図である。
【図４】人感センサの配置の例を断面で示す説明図である。
【発明を実施するための形態】
【００１５】
つぎに本発明を図１から図４に示す実施の形態に基づいて詳細に説明する。
図中１は表示板で、該表示板１は図２に示されているように横長のケース２と、そのケース２の内の後部に形成した電源３と、前記ケース２の内の前部側に形成されているＬＥＤ取付板４とからなるものである。前記ケース２は前面にある横長の開口に光拡散板５を配し、横長の枠体６を前方から着脱可能に嵌め付けることでその光拡散板５を支持していて、枠体６と光拡散板５との取り外しによってケース２の内の前記ＬＥＤ取付板４の前面側が横長の開口から直接確認でき、ケース２の開口を通して後述するようにＬＥＤ取付板４の前面に対し指先などにて発光パターンの形成作業ができるように設けられている。
【００１６】
電源３は、断面で示されているようにケース２の内に電池ボックス７を組み入れ、その電池ボックス７に複数本の乾電池８をセットして蓋体９が開け閉め可能に覆っているものである。
【００１７】
上記ＬＥＤ取付板４は、絶縁性の素材からなる横長の台板１０に、五行五列の碁盤目状にした２５か所のＬＥＤ取付部１１を一組とし、これを四組にして台板１０の長手方向に並べており、ＬＥＤ取付部１１それぞれは、砲弾型のＬＥＤ１２を取り付けることができる。前記ＬＥＤ取付部１１それぞれにはＬＥＤ１２の対の足１２ａ（対のリード線）を抜き差し可能に差し入れる対の小孔１３が設けられていて、この小孔１３に前記足１２ａを差し入れてＬＥＤ１２をＬＥＤ取付部１１に配置することができ、また、ＬＥＤ取付部１１からＬＥＤ１２を前方に引いて足それぞれを小孔１３から引き抜くようにして外すことも可能とされている。
【００１８】
ＬＥＤ取付板４には上述したように碁盤目状に配列されているＬＥＤ取付部１１があり、それぞれにＬＥＤ１２が着脱できるものであることから、本表示板１を使用するに際し、ＬＥＤ取付部１１の組の位置と五行五列の位置に基づきながら使用者が任意のＬＥＤ取付部１１を選んでＬＥＤ１２をセットすることで、その使用者が所望する複数個のＬＥＤ１２を並べてなるパターン（後述の発光パターン）が得られ、その変更も使用者側で行なうＬＥＤ１２の抜き差しで行なえる。
【００１９】
ＬＥＤ１２を配するＬＥＤ取付部１１では、図２に示しているようにＬＥＤ１２の樹脂封止部１２ｂの底面をＬＥＤ取付板４の台板１０の平滑な前面に接しさせて樹脂封止部１２ｂの頂点側の向きが表示板前方へとなるようにこの砲弾型のＬＥＤ１２の凸となる向きを規制している。
【００２０】
このようにＬＥＤ１２を取り付けるＬＥＤ取付部１１を碁盤目状とし樹脂封止部１２ｂの底面と台板１０の前面との面同士が接することから、複数個のＬＥＤ１２を縦や横に並べた際、縦や横の並びの乱れや、振動に対する揺れなどを生じることがない。
【００２１】
ＬＥＤ取付板４における台板１０の裏面にはＬＥＤ取付部１１の小孔１３に差し入れたＬＥＤ１２の足１２ａ（リード線）と電気的に接触する導電レール１４が配されていて、足を前記導電レール１４に接続させるようにしてＬＥＤ取付部１１に取り付けたＬＥＤ１２は、上記電源３から電力を受けることで発光するように設けられている。また、導電レール１４には前記足１２ａが摺接可能にしてその足１２ａの長手方向に亘って接しており、導電レール１４とこれに摺接可能に接する足１２ａとの間での摩擦力によってＬＥＤ１２が抜き差し可能に保持され、導電レール１４と足１２ａとの間で通電ができるものとなっている。そして、導電レール１４の表示板後方に伸びる接合面と足１２ａとが前述のようにその足１２ａの長手方向に線状で接していることも、ＬＥＤ１２の向きを規制することに寄与している。
【００２２】
このようにいずれのＬＥＤ取付部１１でも、ＬＥＤ１２は電力の供給を電源３から受けることで発光することから、碁盤目状のＬＥＤ取付部１１の配列に従って使用者が任意のパターンでＬＥＤ１２を並べ、そのＬＥＤ１２に電力が電源３から供給されれば、使用者が並べた所望の発光パターンで表示板１に情報を形成できる。図１にあっては、ＬＥＤ取付板４のＬＥＤ取付部１１の組それぞれで数字の「１」を表わす発光パターンの配列でＬＥＤ１２をセットした例を示している。また、図３において、一組のＬＥＤ取付部１１で、数字、アルファベットを表わす発光パターンの配列を示しており、「●」はＬＥＤが取り付けられた状態を示し、「○」はＬＥＤが取り付けられていないＬＥＤ取付部１１を示す。
【００２３】
図示されているようにＬＥＤ取付板４には人感センサ１５が配置されていて、外界から光拡散板５を透過してくる赤外線の変化を検出することができるものであり、この表示板１が設置された場所に例えば人間が近付くことで感応する。図４においては前記人感センサ１５をＬＥＤ取付板４に配した例を断面にて示している。
【００２４】
そして、この人感センサ１５は、上記導電レール１４から電源３までの間で電源３からの電力供給によりＬＥＤ取付部に保持されたＬＥＤ１２それぞれを点灯可能にする配線手段に介在していて、人感センサ１５が感応した際に、前記ＬＥＤ１２と前記電源３との間の通電回路を閉成してＬＥＤ１２を点灯させる点灯手段となるものである。なお、図４においては、人感センサ１５が前記配線手段に介在する構成については説明を容易にするために図示していない。
【００２５】
上記点灯手段を形成している人感センサ１５の無感応状態が所定時間を経過した場合には閉成されていた通電回路は開成されて、ＬＥＤそれぞれが消灯するように設けられている。なお、人感センサ１５を本実施の形態では赤外線を検出できるようにしたものを例示したが、本発明はこの実施の形態に限定されるものではなく、さらに人感センサ１５の配置も実施の形態に限定されるものではない。
【符号の説明】
【００２６】
１…表示板
２…ケース
３…電源
４…ＬＥＤ取付板
５…光拡散板
６…枠体
７…電池ボックス
８…乾電池
９…蓋体
１０…台板
１１…ＬＥＤ取付部
１２…ＬＥＤ
１３…小孔
１４…導電レール
１５…人感センサ
【図１】
2013109218.tif 000003
【図２】
2013109218.tif 000004
【図３】
2013109218.tif 000005
【図４】
2013109218.tif 000006